【事件の表示】
　特許第３１７１３５８号「床構造」の請求項１に係る特許に対する特許異議の申立てについて、次のとおり決定する。
【結　論】
　訂正を認める。
　特許第３１７１３５８号の請求項１に係る特許を維持する。
【理　由】
【１】手続きの経緯
平成　５年　９月　１日：特許出願
平成１３年　３月２３日：設定登録
平成１３年　８月　６日：異議申立
平成１４年　４月１８日：取消理由通知
平成１４年　６月２５日：意見書・訂正請求
平成１４年　８月　７日：回答書（異議申立人）
平成１４年　８月１６日：訂正拒絶理由通知
平成１４年１０月２９日：意見書・手続補正書
　
【２】訂正の内容
（１）特許請求の範囲の訂正
　特許請求の範囲を下記のとおり訂正。
　「【請求項１】コンクリートスラブ等の床基盤上に支持脚を介して、床下空間を形成するように敷き並べられる床パネルの壁際端縁を壁面から所定間隔離して壁面と床パネル端縁との間に隙間を形成し、床上の壁際に幅木構造物を施した床構造において、
　支持脚下端に床基盤に接地するクッションゴム又は緩衝材を取付け、
　床下空間と床上空間とを連通させる空気連通手段を有する連通用部材として使用される多孔質体とこの多孔質体とは別体の幅木本体部材並びに多孔質体を室内側からおおい隠す多孔質体とは別体の幅木化粧部材から幅木構造物を構成し、
　壁面に多孔質体を隙間上に位置するように取付け、
　この多孔質体上の壁面に多孔質体の空気連通手段を塞がないように幅木本体部材を取付け、
　多孔質体の前面に幅木本体部材との間に空気連通路が形成されるように幅木化粧部材を取付けたことを特徴とする床構造。」
　
（２）発明の詳細な説明の訂正
（２−１）段落【０００５】を下記のとおり訂正。
　「【課題を解決するための手段】
　上述の目的を達成するため、この発明は、コンクリートスラブ等の床基盤上に支持脚を介して、床下空間を形成するように敷き並べられる床パネルの壁際端縁を壁面から所定間隔離して壁面と床パネル端縁との間に隙間を形成し、床上の壁際に幅木構造物を施した床構造において、支持脚下端に床基盤に接地するクッションゴム又は緩衝材を取付け、床下空間と床上空間とを連通させる空気連通手段を有する連通用部材として使用される多孔質体とこの多孔質体とは別体の幅木本体部材並びに多孔質体を室内側からおおい隠す多孔質体とは別体の幅木化粧部材から幅木構造物を構成し、壁面に多孔質体を隙間上に位置するように取付け、この多孔質体上の壁面に多孔質体の空気連通手段を塞がないように幅木本体部材を取付け、多孔質体の前面に幅木本体部材との間に空気連通路が形成されるように幅木化粧部材を取付けたものである。」
（２−２）段落【０００８】を下記のとおり訂正。
　「図１に示す第１実施例では、コンクリートスラブ等の床基盤１上に支持脚２を介して、床下空間３を形成するように敷き並べられる床パネル４の壁際端縁を壁面５から所定間隔離して壁面５と床パネル４の端縁との間に隙間６を形成し、床パネル４の端縁と壁面５との間の隙間６にはパッキン材７を所定の距離ごとに設けてある。床パネル４上には捨張材８を設け、この捨張材８の上には仕上げ材９を設けてある。また、床上の壁際には幅木構造物１０を施してある。この幅木構造物１０は、床下空間３と床上空間とを連通させる連通用部材として使用される多孔質体１１と幅木本体部材１２並びに多孔質体１１を室内側からおおい隠す幅木化粧部材１３から構成してある。この多孔質体１１は壁面５に取付けてあり、かつ隙間６上に位置している。この多孔質体１１上の壁面５に幅木本体部材１２を取付けてある。多孔質体１１の前面に幅木本体部材１２との間に空気連通路１４が形成されるように幅木化粧部材１３を取付けてある。多孔質体１１とこの幅木化粧部材１３とは予め接着等の手段により一体化しておいてもよい。前記支持脚２の下端には床基盤１に接地するクッションゴム１５を取付けてある。」
（２−３）段落【０００９】を下記のとおり訂正。
　「図２に示す第２実施例では、床パネル４の端縁側に位置する支持脚２の上部には受け材１６を設けたものを示す。この実施例では捨張材８を設けていない。」
（２−４）段落【００１０】を下記のとおり訂正。
　「図３に示す第３実施例では、床下空間３にグラスウール等の緩衝材１７を設け、支持脚２としては根太材を用いた。この実施例では支持脚２の下端にクッションゴム１５の替りに緩衝材１７を設けた構成となる。」
（２−５）段落【００１２】を下記のとおり訂正。
　「図５ないし図１３に示す幅木構造物１０の縦断面はそれぞれの部材の種々の形状を示すものである。」
（２−６）段落【００１５】を下記のとおり訂正。
　「【発明の効果】
　以上説明したように、この発明によれば、床面に衝撃が加わったときに床下空気を速やかに床上に抜くことにより床下の空気ばねによる性能低下を防ぐことができるのみならず、支持脚下端に床基盤に接地するクッションゴム又は緩衝材を取付けることにより遮音性能を著しく向上させることができる。さらに、この発明における幅木構造物は３つの部材から構成してあり、それぞれ異種材料の組合せが可能であり、最適の組合せの選択ができる。このとき、防錆効果を高める材料を選ぶこともできる。また、多孔質体と幅木化粧部材とは工場で予め一体化しておくことにより、施工も容易となる。さらに、多孔質体は幅木化粧部材でおおい隠されるので、外側を損うこともない。」
　
（３）図面の訂正
　図１〜４を添付図面のとおり訂正。
　
【３】訂正の適否についての判断
（１）特許請求の範囲の訂正
　上記訂正は、訂正前の請求項に記載された「空気連通手段」を「空気連通手段としての多孔質体」に限定するなど、いくつかの構成要件を明細書に記載されていた実施例に即して下位概念に限定したものであり、特許請求の範囲の減縮に該当し、新規事項の追加に該当せず、実質的に特許請求の範囲を拡張又は変更するものでもない。
（２）発明の詳細な説明の訂正
　上記訂正は、前記特許請求の範囲の減縮に伴って、減縮された特許請求の範囲の記載と発明の詳細な説明の記載とを整合させるための不明瞭な記載の釈明を目的とするものと認められる。
（３）図面の訂正
　上記訂正は、上記訂正後の特許請求の範囲及び発明の詳細な説明の記載と図面の記載とを整合させるための不明瞭な記載の釈明を目的とするものと認められる。
（４）むすび
　以上のとおりであるから、上記訂正は、特許法等の一部を改正する法律（平成６年法律１１６号）附則第６条第１項の規定によりなお従前の例によるとされる、特許法第１２０条の４第３項で準用する平成６年法律第１１６号による改正前の第１２６条第１項ただし書、第２項及び第３項の規定に適合するので、当該訂正を認める。
　
　なお、異議申立人は、平成１４年８月７日付回答書において、本件明細書に「空気連通用部材」として「多孔質体を用いることも可能」との記載はあるが、「多孔質体」がどうして空気を連通するかについての具体的記載はなく、特許請求の範囲の減縮に該当するものではない旨主張する。
　しかし、「多孔質体」には、その各孔が独立したものと連通したものとがあることは広く知られた技術常識にすぎず、本件発明の「多孔質体」が「空気連通用部材」として使用されるものである以上、各孔が連通した「多孔質体」が使用されることは、当業者に明らかな事項であり、異議申立人の上記主張には、理由がない。
　
【４】特許異議申立てについての判断
（１）本件発明
　本件請求項１に係る発明は、上記訂正明細書の請求項に記載された事項により特定されるとおりのものである。
　
（２）異議申立ての理由の概要
　申立人は、証拠として甲第１〜３号証を提出し、訂正前の請求項１に係る発明は、甲第１〜３号証に記載された発明に基いて当業者が容易に発明をすることができたものであり、特許法第２９条第２項の規定により、特許を受けることができないのものであるから、請求項１に係る発明の特許を取り消すべき旨主張している。
　
（３）甲号各証
（３−１）上記甲号各証には、下記の事項が図面とともに記載されている。
＜甲第１号証（実願平１−１００３５０号（実開平３−４１０４４号）のマイクロフィルム）＞
　「この考案は前記スラブと床材の間の空気層を抜くことにより、「たいこ」構造の解消を図ったのである。
　即ちこの考案の床衝撃音減衰構造は、スラブの上側に、所定の間隔を保って床板を設置してなる二重床において、前記床板の端縁と壁面との間に間隙が設けてあると共に、該間隙を介して床板の上下空間が連通していることを特徴としている。」（２頁１９行〜３頁６行）
　「スラブ（図示していない）の上部に架設した根太１を介して、スラブの上側に、所定の間隔を保って設置された床板２の端縁２ａと躯体壁面３の間にパッキン材４を所定の距離毎に介設して、前記端縁２ａと躯体壁面３の間に所定距離（例えば１０mm）の間隙５が設けてある。」（４頁４〜９行）
　「上記実施例によれば、床板２の上下の空間が前記の通り、間隙５と溝７を介して連通しているので、床板２とスラブの間の空間を密閉しない構造となる。この結果、床板２に対して衝撃が与えられた際に、いわゆる「たいこ」現象による床衝撃音の伝播を低減することができる。」（５頁２〜７行）
　「第５図に示す実施例を説明する。
　実施例１と同様に設置された床板２の周縁部上側に躯体壁面３に沿って巾木２０が設けてある。前記巾木２０は躯体壁面３と接する部分に縦溝２１、２１が所定の間隔毎に設けてある。巾木２０の上側には、巾木カバー２２が、巾木２０との間に間隙２３を保って、壁面３に同着してある。
　上記実施例によれば、間隙５、巾木の縦溝２１、２１及び巾木上部と巾木力バ一２２の間の間隙２３を介して、床板２の上下の空間が連通しているので、床板２とスラブの間の空間を密閉しない構造となる。
　その結果、（実施例１）同様に、床衝撃音の伝播を低減することができる。」（７頁１８行〜８頁１１行）
　刊行物１の上記明細書及び図面の記載において、巾木２０と巾木カバー２２とで幅木構造物が構成されているといえるから、刊行物１には、
「スラブの上に根太１を介して、所定の間隔を保って設置された床板２の端縁２ａを壁面３から所定間隔離して壁面と床パネル端縁との間に間隙５を形成し、床板２の周縁部上側に壁面３に沿って幅木構造物を施した二重床構造において、
　床板２の上下の空間を連通させる縦溝２１、２１を設けた巾木２０及び巾木２０との間に間隙２３を保って、壁面３に固着した巾木カバー２２から幅木構造物を構成し、壁面３と接する部分に縦溝２１、２１を位置させて巾木２０を取付け、この巾木２０上側には、壁面３に巾木２０との間に間隙２３を保って巾木カバー２２を取付け、巾木２０と巾木カバー２２との間に空気連通路が形成されるようにされた二重床構造。」という発明が記載されていると認められる。
　
＜甲第２号証（特開昭３−１７３４８号公報）＞
　「本発明は集合住宅等に施行される置床工法，特に長方形の定尺床パネルと支持ブロックを使用する乾式置床工法及びそれに使用する根太ユニットに関する。」（１頁右欄７〜１０行）
　「第２図において，１０は支持ブロックで，ネジを有する棒状脚部１１の下部はゴム等からなる防振台座１２に植設され，・・・第３図は置床の形態を示すものである。上記床パネル７を所定の間隙ｄをあけて配置し，支持ブロック１０により床パネル７を支持する。」（３頁左下欄９〜１７行）
　「木材またはその他の材質からなる横張根太１８に互いに離れた少なくとも２個所に縦方向貫通穴２３をあけ，その貫通穴２３の下部にナット２０を挿入，固定し，このナットを介して貫通穴に支持ボルト（支持脚）２１を螺合，挿通する。
　支持ボルト２１の下端には必要に応じて充分の強度を有するゴム台座２２を取り付け」（４頁右上欄８〜１５行）
　
＜甲第３号証（特開昭５７−３６２５０号公報）＞
　「本発明は、複数枚の床部材群を端縁突合せ状態で並設して構成される床を構造用床版に対し複数個の防振部材を介して支持させてある防振浮床装置に関し、その目的は、床全面に亘る防振性能の均一化と居住性の向上とを達成せんとする点にある。」（２頁右上欄４〜９行）
　「(1)は構造用床版、(2)は床版(1)上方に複数枚の床部材(2a)・・群を端縁突合せ状態に並設して構成された床、(3)は床(2)を床版(1)に対して支持させる防振部材である。
　床版(1)は、集合住宅の場合は第１図〜第４図のようにコンクリートスラブ床(4)であり、・・・防振部材(3)は第１図のように単独使用する場合、第２図のようにキャップ(7)を被冠させる場合、第３図、第５図のようにチヤンネル材等、複数床部材(2a)・・に亘る長尺部材(8)に嵌着される場合、或いは第２図、第３図のように高さ調整機構(9)を併用する場合、更に第４図のように床(2)周辺部では束(10)に支持された廻し根太(11)に嵌着される場合など種々ある。」（３頁左上欄５行〜右上欄２行）
　「防振部材(3)は構成材料で大別して次の二つがある。一つは第６図に併せ示したように硝子繊維の集積体(18)を・・・高密度に圧縮して円筒状や直方体、立方体、角筒、或いは柱状等の形状に賦形し、繊維解離防止のために全表面をゴム膜(19)で被包したものであり、他の一つは硬質ゴム製とする場合である。」（３頁右上欄１９行〜左下欄６行）
　
（３−２）対比・判断
　訂正後の本件発明と上記甲号各証記載のものとを対比すると、甲号各証記載のものには、少なくとも本件発明の構成である、それぞれ別体の「連通用部材としての多孔質体」、「幅木本体部材」、及び「幅木化粧部材」の３部材で「幅木構造物」を構成した点について何等記載されておらず、示唆もない。
　そして、本件発明は、床と壁の縁に設ける化粧材である「幅木」を３部材で構成することにより、化粧面を構成する「幅木本体部材」、及び「幅木化粧部材」によって、通常、化粧材としては適さない「多孔質体」をおおい隠すことができ、「空気連通用部材」に「多孔質体」を使用することを可能としたものであり、そのような構成を、甲号各証記載のものから当業者が容易になし得る構成ということはできない。
　
（４）むすび
　以上のとおりであるから、特許異議申立ての理由及び証拠によっては、本件発明についての特許を取り消すことはできない。
　また、他に本件発明についての特許を取消すべき理由を発見しない。
　よって、結論のとおり決定する。
　
【異議決定日】
平成１４年１１月１９日（２００２．１１．１９）
【訂正の要旨】
（１）特許請求の範囲の訂正
　特許請求の範囲を下記のとおり訂正。
　「【請求項１】コンクリートスラブ等の床基盤上に支持脚を介して、床下空間を形成するように敷き並べられる床パネルの壁際端縁を壁面から所定間隔離して壁面と床パネル端縁との間に隙間を形成し、床上の壁際に幅木構造物を施した床構造において、
　支持脚下端に床基盤に接地するクッションゴム又は緩衝材を取付け、
　床下空間と床上空間とを連通させる空気連通手段を有する連通用部材として使用される多孔質体とこの多孔質体とは別体の幅木本体部材並びに多孔質体を室内側からおおい隠す多孔質体とは別体の幅木化粧部材から幅木構造物を構成し、
　壁面に多孔質体を隙間上に位置するように取付け、
　この多孔質体上の壁面に多孔質体の空気連通手段を塞がないように幅木本体部材を取付け、
　多孔質体の前面に幅木本体部材との間に空気連通路が形成されるように幅木化粧部材を取付けたことを特徴とする床構造。」
（２）発明の詳細な説明の訂正
（２−１）段落【０００５】を下記のとおり訂正。
　「【課題を解決するための手段】
　上述の目的を達成するため、この発明は、コンクリートスラブ等の床基盤上に支持脚を介して、床下空間を形成するように敷き並べられる床パネルの壁際端縁を壁面から所定間隔離して壁面と床パネル端縁との間に隙間を形成し、床上の壁際に幅木構造物を施した床構造において、支持脚下端に床基盤に接地するクッションゴム又は緩衝材を取付け、床下空間と床上空間とを連通させる空気連通手段を有する連通用部材として使用される多孔質体とこの多孔質体とは別体の幅木本体部材並びに多孔質体を室内側からおおい隠す多孔質体とは別体の幅木化粧部材から幅木構造物を構成し、壁面に多孔質体を隙間上に位置するように取付け、この多孔質体上の壁面に多孔質体の空気連通手段を塞がないように幅木本体部材を取付け、多孔質体の前面に幅木本体部材との間に空気連通路が形成されるように幅木化粧部材を取付けたものである。」
（２−２）段落【０００８】を下記のとおり訂正。
　「図１に示す第１実施例では、コンクリートスラブ等の床基盤１上に支持脚２を介して、床下空間３を形成するように敷き並べられる床パネル４の壁際端縁を壁面５から所定間隔離して壁面５と床パネル４の端縁との間に隙間６を形成し、床パネル４の端縁と壁面５との間の隙間６にはパッキン材７を所定の距離ごとに設けてある。床パネル４上には捨張材８を設け、この捨張材８の上には仕上げ材９を設けてある。また、床上の壁際には幅木構造物１０を施してある。この幅木構造物１０は、床下空間３と床上空間とを連通させる連通用部材として使用される多孔質体１１と幅木本体部材１２並びに多孔質体１１を室内側からおおい隠す幅木化粧部材１３から構成してある。この多孔質体１１は壁面５に取付けてあり、かつ隙間６上に位置している。この多孔質体１１上の壁面５に幅木本体部材１２を取付けてある。多孔質体１１の前面に幅木本体部材１２との間に空気連通路１４が形成されるように幅木化粧部材１３を取付けてある。多孔質体１１とこの幅木化粧部材１３とは予め接着等の手段により一体化しておいてもよい。前記支持脚２の下端には床基盤１に接地するクッションゴム１５を取付けてある。」
（２−３）段落【０００９】を下記のとおり訂正。
　「図２に示す第２実施例では、床パネル４の端縁側に位置する支持脚２の上部には受け材１６を設けたものを示す。この実施例では捨張材８を設けていない。」
（２−４）段落【００１０】を下記のとおり訂正。
　「図３に示す第３実施例では、床下空間３にグラスウール等の緩衝材１７を設け、支持脚２としては根太材を用いた。この実施例では支持脚２の下端にクッションゴム１５の替りに緩衝材１７を設けた構成となる。」
（２−５）段落【００１２】を下記のとおり訂正。
　「図５ないし図１３に示す幅木構造物１０の縦断面はそれぞれの部材の種々の形状を示すものである。」
（２−６）段落【００１５】を下記のとおり訂正。
　「【発明の効果】
　以上説明したように、この発明によれば、床面に衝撃が加わったときに床下空気を速やかに床上に抜くことにより床下の空気ばねによる性能低下を防ぐことができるのみならず、支持脚下端に床基盤に接地するクッションゴム又は緩衝材を取付けることにより遮音性能を著しく向上させることができる。さらに、この発明における幅木構造物は３つの部材から構成してあり、それぞれ異種材料の組合せが可能であり、最適の組合せの選択ができる。このとき、防錆効果を高める材料を選ぶこともできる。また、多孔質体と幅木化粧部材とは工場で予め一体化しておくことにより、施工も容易となる。さらに、多孔質体は幅木化粧部材でおおい隠されるので、外側を損うこともない。」
（３）図面の訂正
　図１〜４を添付図面のとおり訂正。
（５４）【発明の名称】
床構造
（５７）【特許請求の範囲】
　【請求項１】　コンクリートスラブ等の床基盤上に支持脚を介して、床下空間を形成するように敷き並べられる床パネルの壁際端縁を壁面から所定間隔離して壁面と床パネル端縁との間に隙間を形成し、床上の壁際に幅木構造物を施した床構造において、
　支持脚下端に床基盤に接地するクッションゴム又は緩衝材を取付け、
　床下空間と床上空間とを連通させる空気連通手段を有する連通用部材
として使用される多孔質体
この多孔質体とは別体の
多孔質体
多孔質体とは別体の
　壁面に
多孔質体
　この
多孔質体
多孔質体
　
多孔質体
【発明の詳細な説明】
　【０００１】
　【産業上の利用分野】
　この発明は、床下空気と床上空気との連通を図り、床衝撃音吸収性能を向上させた床構造に関する。
　【０００２】
　【従来の技術】
　従来この種の床構造としては、実開平３−４１０４４号公報に記載のものが知られている。これは、コンクリートスラブの上部に架設した根太を介してコンクリートスラブの上側に床板を設置し、床板の端縁と壁面との間に所定の間隔をあけて間隙が形成され、この間隙にパッキン材を所定間隔で設け、これらパッキン材上、すなわち床板の端縁と壁面との間に形成された間隙上に幅木を設けたものである。幅木の下側縁には溝が所定の間隔で形成してあり、これらの溝と間隙とによって床下と床上との空間が連通するようになっている。また、幅木の溝の替りにスリットを形成したり、パンチングメタルを併用したりするものも記載されている。
　【０００３】
　【発明が解決しようとする課題】
　従来の床構造は、大引・根太構造であり、床下と床上との空気を連通させても根太や大引を介して階下へ音が伝播し易い。また、幅木の構造も１部材又は２部材（パンチングメタル併用）から成るものであり、溝やスリットを幅木に形成したものでは、室内側から溝等が見えてしまって外観を損ねる。さらに、パンチングメタルの使用において、錆の問題が生ずる。
　【０００４】
　そこで、この発明は、異種材料の組合せが可能な幅木構造物を有し、床衝撃音の吸収性能が高く、室内側の外観を損うこともない床構造を提供することを目的とする。
　【０００５】
　【課題を解決するための手段】
　上述の目的を達成するため、この発明は、コンクリートスラブ等の床基盤上に支持脚を介して、床下空間を形成するように敷き並べられる床パネルの壁際端縁を壁面から所定間隔離して壁面と床パネル端縁との間に隙間を形成し、床上の壁際に幅木構造物を施した床構造において、支持脚下端に床基盤に接地するクッションゴム又は緩衝材を取付け、床下空間と床上空間とを連通させる空気連通手段を有する連通用部材
として使用される多孔質体
この多孔質体とは別体の
多孔質体
多孔質体とは別体の
多孔質体
多孔質体
多孔質体
多孔質体
　【０００６】
　【作用】
　床パネルはクッションゴム付き又は緩衝材を下側に設けた支持脚で支持され、床衝撃音吸収性能が高く、しかも床下と床上との空気も流通するため、より一層吸収性能が向上する。また、幅木の構造も３部材から成り、防錆も考慮して異種材料を適宜組み合せることが可能であり、幅木化粧部の存在により外観を損ねることもない。
　【０００７】
　【実施例】
　以下に、この発明の好適な実施例を図面を参照にして説明する。
　【０００８】
　図１に示す第１実施例では、コンクリートスラブ等の床基盤１上に支持脚２を介して、床下空間３を形成するように敷き並べられる床パネル４の壁際端縁を壁面５から所定間隔離して壁面５と床パネル４の端縁との間に隙間６を形成し、床パネル４の端縁と壁面５との間の隙間６にはパッキン材７を所定の距離ごとに設けてある。床パネル４上には捨張材８を設け、この捨張材８の上には仕上げ材９を設けてある。また、床上の壁際には幅木構造物１０を施してある。この幅木構造物１０は、床下空間３と床上空間とを連通させる連通用部材
として使用される多孔質体
多孔質体
。こ
多孔質体
多孔質体
に幅
多孔質体
多孔質体
　【０００９】
　図２に示す第２実施例では
、床
　【００１０】
　図３に示す第３実施例では、床下空間３にグラスウール等の緩衝材１７を設け、支持脚２としては根太材を用いた。この実施例では支持脚２の下端にクッションゴム１５の替りに緩衝材１７を設けた構成となる
。
　【００１１】
　図４に示す第４実施例では、壁際の床パネル４の下側の構造として、際根太１８と束１９とから成る構造を採用し、壁際以外の床パネル４の支持は支持脚２とクッションゴム１５で図っている。
　【００１２】
　図５ないし図１３に示す幅木構造物１０の縦断面はそれぞれの部材の種々の形状を示すものである
。
　【００１３】
　図１４に示す幅木本体部材１２はフィン１２Ａを形成した例を示し、このフィン１２Ａとして可撓性部材を用いれば、このフィン１２Ａと幅木化粧部材１３の上端面とが接触していてもよい。床下空気が床上に逃げるときにフィン１２Ａが床下からの空気の圧力により幅木化粧部材１３の上端面から離れて空気の逃げ道を作ることができる。
　【００１４】
　図１５に示すグラフは、ＪＩＳ　Ａ　１４１８に基づいて重量床衝撃源を用いた遮音性能測定結果を示すものであり、符号Ａはコンクリートスラブ自体に重量床衝撃源を落下させた場合を示し、符号Ｂは図１に示す実施例において幅木構造物の構造を変えた、すなわち床下空間の空気を床上に抜けないようにした幅木構造物を取付けた比較例を示し、符号Ｃは図１に示す第１実施例のものを示す。
　【００１５】
　【発明の効果】
　以上説明したように、この発明によれば、床面に衝撃が加わったときに床下空気を速やかに床上に抜くことにより床下の空気ばねによる性能低下を防ぐことができるのみならず、支持脚下端に床基盤に接地するクッションゴム又は緩衝材を取付けることにより遮音性能を著しく向上させることができる。さらに、この発明における幅木構造物は３つの部材から構成してあり、それぞれ異種材料の組合せが可能であり、最適の組合せの選択ができる。このとき、防錆効果を高める材料を選ぶこともできる。また、
多孔質体
多孔質体
【図面の簡単な説明】
　【図１】
　この発明の第１実施例を示す斜視図。
　【図２】
　第２実施例を示す斜視図。
　【図３】
　第３実施例を示す斜視図。
　【図４】
　第４実施例を示す斜視図。
　【図５】
　幅木構造物の断面図。
　【図６】
　幅木構造物の他の例を示す断面図。
　【図７】
　幅木構造物のさらに他の例を示す断面図。
　【図８】
　幅木構造物の別の例を示す断面図。
　【図９】
　幅木構造物のさらに別の例を示す断面図。
　【図１０】
　幅木構造物の他例を示す断面図。
　【図１１】
　幅木構造物のさらに他の例を示す断面図。
　【図１２】
　幅木構造物の別例を示す断面図。
　【図１３】
　幅木構造物のさらに別例を示す断面図。
　【図１４】
　幅木本体部材の側面図。
　【図１５】
　遮音性能を示すグラフ。
　【符号の説明】
　１　床基盤
　２　支持脚
　３　床下空間
　４　床パネル
　５　壁面
　６　隙間
　１０　幅木構造物
　１１　
多孔質体
　１２　幅木本体部材
　１３　幅木化粧部材
　１４　空気連通路
　１５　クッションゴム
　１７　緩衝材
【図面】